(57)【要約】【課題】外壁目地等から浸入して下部に伝う雨水を、当該目地に近い下側の目地から排出するとともに通気層による通気経路も確保できる外壁の排水通気構造を提供する。【解決手段】上側の外壁パネル１と下側の外壁パネル１との間において水切り２が設けられる。上記外壁パネル１は、外壁板１１と、通気胴縁１２と、断熱材１３と、外壁フレーム部１４とを備える。上記水切り２は、例えば防錆処理された金属板を曲げ加工して成るものであり、下側の外壁パネル１の通気層１５に位置し通気開口２１ａを備える通気層面部２１と、上記通気層面部２１から延設されて下側の外壁パネル１の外壁板１１の上端面上を通って横目地の外側に至る横目地面部２２と、上記通気層面部２１から延設されて下側の外壁パネル１の外壁フレーム部１４の上端面側に位置する上側面部２３とを有する。【選択図】図２
2015090042.tif 000002
【特許請求の範囲】
【請求項１】
外壁板と外壁フレーム部との間に通気層を有する外壁パネルが上下に配置されてその間に水切りが設けられており、上記水切りは、下側の外壁パネルの通気層に位置し通気開口を備える通気層面部と、上記通気層面部から延設されて下側の外壁パネルの外壁板の上端面上を通って横目地の外側に至る横目地面部と、を有することを特徴とする外壁の排水通気構造。
【請求項２】
請求項１に記載の外壁の排水通気構造において、上記水切りは、上記通気層面部から延設されて下側の外壁パネルの外壁フレーム部の上端面側に位置する上側面部を有することを特徴とする外壁の排水通気構造。
【請求項３】
請求項２に記載の外壁の排水通気構造において、上記水切りは、上記上側面部に挿通されたボルトが下側の外壁パネルの外壁フレーム部に螺合されて固定されることを特徴とする外壁の排水通気構造。
【請求項４】
請求項１〜請求項３のいずれか１項に記載の外壁の排水通気構造において、上側の外壁パネルの下部側に接して止水を行う止水部材が設けられることを特徴とする外壁の排水通気構造。
【請求項５】
請求項１〜請求項４のいずれか１項に記載の外壁の排水通気構造において、上記通気開口は外側に下り傾斜するガラリ状に形成されていることを特徴とする外壁の排水通気構造。
【請求項６】
請求項１〜請求項５のいずれか１項に記載の外壁の排水通気構造において、上記横目地面部には、上記横目地を覆うとともに上記通気層を屋外に通じさせる通気路を形成する見切り部材が装着されることを特徴とする外壁の排水通気構造。
【発明の詳細な説明】
【技術分野】
【０００１】
この発明は、通気層を有する外壁において上記通気層による通気の経路を確保するとともに水の排水経路も確保する外壁の排水通気構造に関する。
【背景技術】
【０００２】
特許文献１には、建築物の土台部に配設されると共に，外壁板の表側面を伝って流下してきた雨水を前方へ排出する土台水切において、該土台水切は、建築物の構造躯体に固定する背板部と、該背板部の下方において前方下方へ屈曲した水切板部と、該水切板部の前端から下方へ屈曲した前板部と、上記水切板部の上方において上記背板部から前方へ立設され胴縁等の下地材又は留め付け金具を支承するための支承板部と、該前板部の下方に設けた前面を化粧面とするカバー取付部とを備えた水切本体と、上記カバー取付部に取り付けられ、上記前板部と上記建築物の土台の前面との間における下方隙間部から空気を取り入れて土台部の通気を図ると共に、鼠等の小動物の侵入を防ぐカバー部材とを有し、該カバー部材は、上記カバー取付部に接続するための接続部と、上記下方隙間部を塞ぐ閉塞部とを有し、該閉塞部は可撓性を有する樹脂により形成されており、かつ、上記閉塞部には、上下に貫通した排水通気穴が設けてある構造が開示されている。
【０００３】
また、従来の階間部の外壁構造においては、図５に示すように、上側の外壁パネル（胴差）１０１とその下側の外壁パネル１０２との間に、階間用２次止水材１０３が設けられるとともに、上記外壁パネル１０２を吊り上げる際にフックボルトが螺合されるナット部１０２ａを覆うように雨水養生テープ１０４が設けられた構造が在る。また、この構造において、外壁材１０５、１０５の間には、１次ガスケット１０６および不定形のシーリング１０７が設けられる。そして、この構造では、上記外壁パネル１０１の上部側の例えば目地欠損部から浸入した雨水が上記外壁パネル１０２の上端側に至った場合、この雨水は、上記階間用２次止水材１０３等によって通気層１０８へと落とされ、建物の地上に近い位置で排出されることになる。
【先行技術文献】
【特許文献】
【０００４】
【特許文献１】特開２００３−１６０９７９号公報
【発明の概要】
【発明が解決しようとする課題】
【０００５】
しかしながら、上記従来の構造では、上記外壁パネル１０１の上部側の目地欠損部から浸入した雨水が上記外壁パネル１０２の上端側に至った場合に、この雨水を上記外壁パネル１０１の下部側の目地部から外に排出することはできない。すなわち、目地欠損等が生じた箇所からできるだけ近い下側の目地部において雨水を排水することはできなかった。また、このような排水経路を確保する場合に上記通気層１０８による通気経路を維持することが必要とされるが、このような構造は、上記特許文献１では実現されていない。
【０００６】
この発明は、上記の事情に鑑み、外壁目地から浸入して下部に伝う雨水を、当該目地に近い下側の目地から排出するとともに通気層による通気経路も確保できる外壁の排水通気構造を提供することを課題とする。
【課題を解決するための手段】
【０００７】
この発明の外壁の排水通気構造は、上記の課題を解決するために、外壁板と外壁フレーム部との間に通気層を有する外壁パネルが上下に配置されてその間に水切りが設けられており、上記水切りは、下側の外壁パネルの通気層に位置し通気開口を備える通気層面部と、上記通気層面部から延設されて下側の外壁パネルの外壁板の上端面上を通って横目地の外側に至る横目地面部と、を有することを特徴とする。
【０００８】
上記の構成であれば、外壁目地等から浸入して下部に伝う雨水は、上記通気層面部を伝い、上記通気層を通って上記横目地面部へと導かれ、この横目地面部によって上記横目地の外側に排出される。すなわち、外壁目地等から浸入して下部に伝う雨水を当該目地に近い下側の横目地から排出することができる。また、上記通気層面部は通気開口を備えるので、上記通気層による通気経路も確保される。
【０００９】
上記水切りは、上記通気層面部から延設されて下側の外壁パネルの外壁フレーム部の上端面側に位置する上側面部を有してもよい。これによれば、下側の外壁パネルの外壁フレーム部の上端面側へ向かう雨水は、上記上側面部に受け止められて上記通気層面部へと導かれ、上述した経路によって屋外に排出される。また、建方途中の急な降雨による雨水も上記上側面部に受け止められて上記通気層面部へと導かれ、上述した経路によって屋外に排出される。
【００１０】
上記水切りは、上記上側面部に挿通されたボルトが下側の外壁パネルの外壁フレーム部に螺合されて固定されていてもよい。
【００１１】
上側の外壁パネルの下部側に接して止水を行う止水部材が設けられていてもよい。これによれば、下側の外壁パネルの外壁フレーム部の上端面側への雨水の浸入を極力防止することができる。
【００１２】
上記通気開口は外側に下り傾斜するガラリ状に形成されていてもよい。これによれば、雨水を上記横目地面部へ導き易くなるとともに良好な通気を確保することが容易になる。
【００１３】
上記横目地面部には、上記横目地を覆うとともに上記通気層を屋外に通じさせる通気路を形成する見切り部材が装着されてもよい。これによれば、上記見切り部材によって上記横目地が覆われるので、当該横目地に対する湿式のシーリング施工を不要にできる。
【発明の効果】
【００１４】
本発明であれば、外壁目地等から浸入して下部に伝う雨水を、当該目地等に近い下側の目地から排出するとともに通気層による通気の経路も確保できるという効果を奏する。
【図面の簡単な説明】
【００１５】
【図１】この発明の実施形態の外壁の排水通気構造の縦断面の説明図である。
【図２】図１に示した部分の拡大図である。
【図３】図１の排水通気構造で用いられた水切りおよび見切りの拡大図である。
【図４】図３において示された見切りの立体図である。
【図５】従来の外壁の排水通気構造の縦断面を示した説明図である。
【発明を実施するための形態】
【００１６】
以下、この発明の実施の形態を添付図面に基づいて説明する。
図１および図２に示すように、この発明の実施形態の外壁の排水通気構造においては、上側の外壁パネル１と下側の外壁パネル１との間において水切り２が設けられる。上記外壁パネル１は、外壁板１１と、通気胴縁１２と、断熱材１３と、外壁フレーム部１４とを備える。上記通気胴縁１２によって、上記外壁板１１と上記断熱材１３との間に通気層１５が形成される。上記外壁フレーム部１４は、例えば溝型鋼からなる上下配置の横フレームと左右配置の縦フレームとを四角枠状に有してなる。また、上側の外壁パネル１においては、その外壁板１１の下端部が外壁フレーム部１４の下端よりも下に位置しており、下側の外壁パネル１においては、その外壁板１１の上端部が外壁フレーム部１４の上端よりも下に位置している。そして、上側の外壁パネル１の外壁板１１と下側の外壁パネル１の外壁板１１との間に横目地が形成される。
【００１７】
建物の柱３の上端に溶接固定されたジョイント部３１には、例えばＨ型鋼からなる梁（胴差）４がボルトとナットからなる締結部材によって取り付けられている。そして、上記梁４上には上側の柱３の下端に溶接固定されたジョイント部３２がボルトとナットからなる締結部材によって取り付けられる。上記ジョイント部３１、３２には取付板３３が例えば溶接により固定されている。上記外壁フレーム部１４にはボルト１６が裏面側に突出するように装着されており、このボルト１６が上記取付板３３に形成された挿通穴に挿入される。そして、上記ボルト１６にナット３４が螺合されることにより、上記外壁パネル１が上記取付板３３を介して躯体側に固定される。
【００１８】
上記水切り２は、例えば防錆処理された金属板を曲げ加工して成るものであり、下側の外壁パネル１の通気層１５に位置し通気開口２１ａを備える通気層面部２１と、上記通気層面部２１から延設されて下側の外壁パネル１の外壁板１１の上端面上を通って横目地の外側に至る横目地面部２２と、上記通気層面部２１から延設されて下側の外壁パネル１の外壁フレーム部１４の上端面側に位置する上側面部２３とを有する。上記通気層面部２１と上記横目地面部２２との境界部分は上記通気胴縁１２の上端角に対応した形状に折り曲げられている。上記水切り２の長さは、例えば上記外壁パネル１の横幅と同じ長さに設定することができるが、複数の外壁パネル１を跨ぐことができる長さ、或いは１枚の外壁パネル１に対して複数配置できる長さにすることができる。
【００１９】
図３にも示すように、上記通気層面部２１に形成された上記通気開口２１ａは、外側に下り傾斜する傾斜部を有したガラリ状に形成されている。上記傾斜部の下端は当該通気層面部２１に繋がり、上端は上記断熱材１３側に近づくように位置する。この例では、上記通気開口２１ａは縦方向に２箇所形成されているが、このような個数に限られない。また、上記通気開口２１ａは、横方向に長尺に形成してもよいが、短尺の開口部を一定間隔で複数形成してもよい。
【００２０】
上記上側面部２３には挿通穴が形成されている。上記水切り２は、上記挿通穴に挿通されたボルト５が下側の外壁パネル１の外壁フレーム部１４のナット１４ａに螺合されることで固定されている。上記ナット１４ａには、上記外壁パネル１を吊り上げる際に用いるフックボルトを装着することができる。また、上記上側面部２３上には、係合凹部（支持部）２３ａが形成されており、この係合凹部２３ａには、上側の外壁パネル１の下端側に接して止水を行う樹脂製ガスケットの止水部材６が設けられている。この例では、上記止水部材６は上側の外壁パネル１の断熱材１３の下端面に接するように配置される。また、上記係合凹部２３ａにはＴ溝が形成され、また上記止水部材６の下面部にはＴ形突起が形成されており、上記止水部材６を上記係合凹部２３ａ上に置いて押し込むことで上記止水部材６が上記係合凹部２３ａに嵌まり込んで固定されるようになっている。上記止水部材６の長さは、例えば上記水切り２と同じ長さに設定することができるが、複数の水切り２を跨ぐことができる長さ、或いは１枚の水切り２に対して複数配置できる長さにすることができる。
【００２１】
上記横目地面部２２の上記横目地の外側に出ている部分は下方に折り曲げられている。そして、この下方に折り曲げられた部分には、図４にも示すように、凹部を有する鉤形状の受け部２２ａが外側に突出するように形成されている。この受け部２２ａは上記折り曲げられた部分の一部を切断して折り曲げることによって形成できる。また、上記受け部２２ａは横方向に一定間隔で形成される。
【００２２】
上記横目地面部２２の上記横目地上に位置する部分の上側には、上記受け部２２ａの形成ピッチに対応した間隔で第１係止部材２４および第２係止部材２５が設けられる。上記第１係止部材２４の一部は横目地の外側に出て下方に折り曲げられた形状を有する。この折り曲げられた部分の裏面にはフック部２４ａが螺子留めやカシメなどによって固定されており、上記フック部２４ａが上記受け部２２ａに係止されることで、上記第１係止部材２４が上記横目地面部２２に固定される。また、第２係止部材２５は平坦部および上記横目地の箇所で山形状を形成する凸曲げ部２５ａを有する。上記第２係止部材２５は上記平坦部の下面を接着剤によって上記第１係止部材２４に固定することができる。もちろん、このような接着固定に限らず、第１係止部材２４と第２係止部材２５を一枚板から折り曲げ加工によって形成することもできる。
【００２３】
上記第１係止部材２４の上記折り曲げられた部分の下端と上記第２係止部材２５の凸曲げ部２５ａとによって見切り部材２６が係止固定されており、この見切り部材２６によって第１係止部材２４および第２係止部材２５の横目地側の部分が覆われるようになっている。上記見切り部材２６は上記第１係止部材２４および第２係止部材２５が設けられた後に、これらに係合するように押し込むことで取り付けることができる。上記見切り部材２６の下辺部には、斜め上に向く折り曲げ部２６ａが形成されており、また、横目地に入り込む奥辺部の下面には垂下係止片２６ｂが形成されている。上記折り曲げ部２６ａは上記第１係止部材２４における上記折り曲げられた部分の下端に係合し、上記垂下係止片２６ｂは上記凸曲げ部２５ａを越えた奥部に係合することができる。上記折り曲げ部２６ａの先端部と上記横目地面部２２の目地外側の折り曲げられた部分との間には、隙間が形成され、外気が上記隙間を通り、上記横目地を経て上記通気層１５に至ることができる。上記見切り部材２６の長さは、例えば上記外壁パネル１の横幅と同じ長さに設定することができるが、複数の外壁パネル１を跨ぐことができる長さ、或いは１枚の外壁パネル１に対して複数配置できる長さにすることができる。
【００２４】
上記の構成であれば、外壁目地等から浸入して下部に伝う雨水は、上記通気層面部２１を伝い、上記通気層１５を通って上記横目地面部２２へと導かれ、この横目地面部２２によって上記横目地の外側に排出される。すなわち、外壁目地等から浸入して下部に伝う雨水を当該目地に近い下側の横目地から排出することができる。また、上記通気層面部２１は通気開口２１ａを備えるので、通気層１５による通気経路も確保される。
【００２５】
上記水切り２が上記上側面部２３を有する構造であると、下側の外壁パネル１の外壁フレーム部１４の上端面側に向かう雨水が、上記上側面部２３に受け止められて上記通気層面部２１へと導かれ、上述した経路によって屋外に排出されることになる。また、建方途中の急な降雨による雨水も上記上側面部２３に受け止められて上記通気層面部２１へと導かれ、上述した経路によって屋外に排出される。
【００２６】
上記上側面部２３に上側の外壁パネル１の下部側に接して止水を行う止水部材６が設けられていると、下側の外壁パネル１の外壁フレーム部１４の上端面側への雨水の浸入を極力防止することができる。また、例えば上記止水部材６を予め工場等で上記係合凹部２３ａ上に嵌め込んでおくと、現場で上記止水部材６を装着する手間が省けるので、作業効率が向上する。
【００２７】
上記通気開口２１ａが外側に下り傾斜するガラリ状に形成されていると、雨水を上記横目地面部へ導き易くなるとともに良好な通気を確保することが容易になる。
【００２８】
上記横目地面部２２に上記見切り部材２６が装着される構造であれば、上記見切り部材２６によって上記横目地が覆われるので、当該横目地に対する湿式のシーリング施工を不要にできる。また、上記見切り部材２６が上記横目地面部２２に対する嵌め込みによって取り付けることができると、現場でのビス留め作業が不要になるので、作業効率が向上する。
【００２９】
また、この実施形態の構造であれば、図５に示した従来構造では必要とされた階間用２次止水材が不要にあり、また、雨水養生テープも不要にできる。さらに、１次ガスケットおよび不定形のシーリングも不要にできることになる。
【００３０】
なお、上記上側面部２３を有しない構造も採用しうる。この構造を有する水切りは、上記通気胴縁１２等に螺子等によって固定することが可能である。また、この構造の水切りにおいて上記通気層面部２１の上端部に係合凹部を形成することで、この係合凹部に止水部材を設けることができる。また、この発明の排水通気構造は階間部に設けることに限定されるものではない。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      外壁パネル
１１    外壁板
１２    通気胴縁
１３    断熱材
１４    外壁フレーム部
１５    通気層
２      水切り
２１    通気層面部
２１ａ  通気開口
２２    横目地面部
２３    上側面部
２３ａ  係合凹部（支持部）
６      止水部材
【図１】
2015090042.tif 000003
【図２】
2015090042.tif 000004
【図３】
2015090042.tif 000005
【図４】
2015090042.tif 000006
【図５】
2015090042.tif 000007